(57)【要約】【課題】簡便に且つ複数の径のマンホールに適用可能な換気ファン取付け治具を提供する。【解決手段】マンホール１０の入口部１０Ａに換気ファン２０を取り付けるための換気ファン取付け治具１である。マンホール１０内に遊挿可能な大きさで、且つ、換気ファン２０を取り付け可能な枠体２と、枠体２に支持され、枠体２の外方に向けて進退可能な２以上のスライダー３と、を備え、各スライダー３の先端部を、マンホール１０の入口部１０Ａに当接することで当該マンホール１０の入口に取り付けられる。【選択図】図１
2020190350.tif 000002
【特許請求の範囲】
【請求項１】
マンホールの入口部に換気ファンを取り付けるための換気ファン取付け治具であって、
マンホール内に遊挿可能な大きさで、且つ、換気ファンを取り付け可能な枠体と、
上記枠体に支持され、上記枠体の外方に向けて進退可能な２以上のスライダーと、
を備え、
上記各スライダーの先端部を、マンホール入口部に当接することで当該マンホールの入口に取り付けられる換気ファン取付け治具。
【請求項２】
上記スライダーの先端部にＬ字状のかぎ爪部が設けられ、該かぎ爪部は、上記マンホールの入口部を構成する壁部の外面若しくは内面に当接可能となっていることを特徴とする請求項１に記載した換気ファン取付け治具。
【請求項３】
上記枠体は、無端環状の形状であり、その枠体の中央部の空間にメッシュ体が配置され、
上記換気ファンは、吸気口又は吐出口を上記メッシュ体に向けた状態で枠体に取付けられることを特徴とする請求項１又は請求項２に記載した換気ファン取付け治具。
【請求項４】
上記枠体に固定された第１のガイドレール部材と、
上記第１のガイドレール部材の長手方向中央部に、長手方向中央部が連結した第２のガイドレール部材と、を備え、
各ガイドレール部材の左右両端部にそれぞれ上記スライダーが進退可能に支持され、
上記連結は、平面視において、第１のガイドレール部材に対し第２のガイドレール部材が、２つのガイドレール部材を連結した連結位置を中心に回動変位可能となっていることを特徴とする請求項１〜請求項３のいずれか１項に記載した換気ファン取付け治具。
【発明の詳細な説明】
【技術分野】
【０００１】
本発明は、工事用換気ファンなどの換気ファンを、マンホールに取り付けるための換気ファン取付け治具に関する。
【背景技術】
【０００２】
マンホール内に作業員が入り込んで、配管・容器内部の点検作業などの作業を行う場合、マンホール内の換気を行う必要がある。従来、換気は、例えば、マンホール入口部に対しダクトを接続し、そのダクトの他端部に換気ファンを接続することで行われていた。若しくは、マンホール内部の縁上へ換気ファンを置くことで換気を行っていた。
また、従来の換気方法として、換気ファンを所定の高さへ保持して換気する方法がある（特許文献１参照。）。また、換気用ダクトの収納筒を設置することでダクトを固定する方法もある（特許文献２参照。）。
【先行技術文献】
【特許文献】
【０００３】
【特許文献１】特開平８−３５２３６号公報
【特許文献２】実公平４−３８１８６号公報
【発明の概要】
【発明が解決しようとする課題】
【０００４】
しかし、特許文献１に記載の方法では、対象とするマンホールの径毎に、取付け用の支持装置を個別に用意する必要がある。
また、特許文献２に記載の方法では、換気ファンを換気ファン設置ダクトに取り付けることで固定している。しかし、この方法では、ダクトを設置するためのスペースを必要とし、狭い箇所では設置できず使用できないという問題があった。
本発明は、上記のような点に着目してなされたもので、簡便に、且つ複数の径のマンホールに適用可能な換気ファン取付け治具を提供することを目的とする。
【課題を解決するための手段】
【０００５】
課題解決のために、本発明の一態様は、マンホールの入口部に換気ファンを取り付けるための換気ファン取付け治具であって、マンホール内に遊挿可能な大きさで、且つ、換気ファンを取り付け可能な枠体と、上記枠体に支持され、上記枠体の外方に向けて進退可能な２以上のスライダーと、を備え、上記各スライダーの先端部を、マンホール入口部に当接することで当該マンホールの入口に取り付けられることを要旨とする。
【発明の効果】
【０００６】
本発明の態様によれば、複数のマンホール径に対応可能で、かつマンホールに簡易に換気ファンを設置することができる。また、本発明の態様によれば、換気ファンを、直接マンホールの入口部に取付けできるため、設置スペースを省スペース化することもでき、狭い箇所でも換気ファンを取り付けることができるという効果もある。
【図面の簡単な説明】
【０００７】
【図１】本発明に基づく実施形態に係る換気ファン取付け治具である。
【図２】枠体を示す平面図である。
【図３】スライダー及びガイドレール部材を示す平面図である。
【図４】ガイドレール部材を示す図であって、（ａ）は平面図、（ｂ）はＡ−Ａ′断面図である。
【図５】スライダーを示す図であって、（ａ）は平面図、（ｂ）はＢ−Ｂ′断面図である。
【図６】マンホールの入口部に取り付けた例を示す図である。
【図７】マンホールの入口部へのスライダー先端部の当接例を示す図である。
【図８】マンホールの入口部へのスライダー先端部の他の当接例を示す図である。
【発明を実施するための形態】
【０００８】
次に、本発明の態様について図面を参照して説明する。
本実施形態の換気ファン取付け治具１は、図１に示すように、換気ファンを取り付け可能な枠体２と、スライダー３とを備える。
なお、本明細書の枠体２について、図１における上面側を上側又は表側とし、スライダー３の位置する側を裏側又は下側と記載する。
【０００９】
＜枠体２＞
本実施形態の枠体２は、図２に示すように、無端環状のリングプレートから構成されている。枠体２の直径は、換気ファン２０の取付け対象となるマンホール１０のうちの最小径のマンホール１０よりも小さい。これによって、マンホール１０の入口部１０Ａの中心軸と同軸に枠体２を配置した状態（又は、マンホール１０の横断面に沿った方向に枠体２を配置した状態）で、枠体２は、マンホール１０内に遊挿可能となっている。本実施形態の枠体２は、鋼材から構成される。
【００１０】
本実施形態では、枠体２の外周輪郭が円形の場合を例示した。枠体２の外周輪郭は、四角形、六角形など他の輪郭形状であってもよい。枠体２の内周輪郭も円形である必要は無い。
枠体２の中央部には、金網などからなるメッシュ体４が設けられている。メッシュ体４の外周部は、枠体２の内周縁部に固定されている。
本実施形態では、メッシュ体４の目を使用して、メッシュ体４に対し換気ファン２０の吸気口側又は吐出口側の部分を支持させるようにして設置する。枠体２自体に、換気ファン固定用の取付け部を設けても良い。
【００１１】
＜スライダー３及びガイドレール部材５＞
本実施形態は、図１のように、スライダー３を４個有し、２個ずつ対をなすように設けられている場合である。スライダー３の数は、３個でも５個以上でもよい。スライダー３は２個でも良いが、取付けが不安定となる可能性がある。
各スライダー３は、図３〜図５に示すように、ガイドレール部材５を介して枠体２の裏面に支持されている。本実施形態の各スライダー３は、枠体２の径方向外方に向けて進退可能に、ガイドレール部材５を介して枠体２に支持されている。
【００１２】
（ガイドレール部材５）
本実施形態では、図１、図３に示すように、２本のガイドレール部材５を有する。
各ガイドレール部材５は、図３に示すように、直線状に沿って延びて、スライダー３を案内する案内部を構成する。ガイドレール部材５は、図４に示すように、底面部５ａと、底面部５ａの幅方向両側から立ち上がる側壁部５ｂとを備える。側壁部５ｂの端部５ｃが内側に折れ曲がっていることで、挿入したスライダー３が厚さ方向に抜けないようになっている。また、底面部５ａには、長手方向中央部に、ガイドレール部材５同士をピン７で連結するための穴５ｄが開口している。また、底面部５ａの長手方向各端部側には、それぞれボルト型の締付け可能なピン８を取り付けるための取付け用の穴５ｅが開口している。
【００１３】
（スライダー３）
また、各スライダー３は、図５に示すように、平板状の部材からなり、先端部がＬ字状に折れ曲がって垂直部３Ａｂを有するかぎ爪部３Ａを構成している。本実施形態のかぎ爪部３Ａでは、先端部３Ａｃが更に内側に折れ待った形状の場合を例示している。スライダー３には、長手方向に沿って延びる長穴３ａが形成されている。この長穴３ａを、ガイドレール部材５の取付け用の穴５ｅに取り付けたピン８が摺動可能に貫通する。スライダー３は、各ガイドレール部材５の長手方向両端部にそれぞれ差し込まれ、ガイドレール部材５の長手方向に向けて進退可能に案内される。
【００１４】
また、上記長穴３ａを貫通するボルト型のピン８を締め付けることで、ガイドレール部材５に対するスライダー３の進退が規制されるようになっている。
また、２つのガイドレール部材５は、図３のように、長手方向中央部が、底面部５ａの厚さ方向に軸を向けたピン７によって連結され、平面視において、ピン７を中心に相対的に回動変位可能となっている。上側のガイドレール部材が第１のガイドレール部材を構成し、下側のガイドレール部材が第２のガイドレール部材を構成する。
【００１５】
本実施形態では、第２のガイドレール部材を構成する下側のガイドレール部材５を、底面部５ａが上に向く姿勢として、２つのガイドレール部材５の底面部５ａの中央部を対応させ、上下に軸を向けたピン７によって、互いに相対回動変位可能な状態で２つのガイドレール部材５が連結されている。下側のガイドレール部材５も底板が下側に向くように配置しても良いが、連結する２つの底板間の間隙が大きくなる分だけ、剛性が低く設定される。
そして、上側のガイドレール部材５が枠体２の裏側に固定されている。
上記、２つのガイドレール部材５を連結したピン７の位置は、平面視において、枠部材に中央部に位置するように設定する。
【００１６】
＜使用例その他＞
次に、上記構成の換気ファン取付け治具１の使用例を説明する。
ボルト型のピン８を緩めて、各スライダー３をガイドレール部材５に対し進退可能な状態とする。そして、スライダー３を延ばし、図７のように、各スライダー３のかぎ爪部３Ａをマンホール１０の入口部１０Ａを構成する壁部の外壁に引っ掛ける。各かぎ爪部３Ａの垂直部３Ａｂが入口部１０Ａに壁部の外面１０Ａａに当接したことを確認したら、緩めた各ボルト型のピン８を締め付けてスライダー３の進退を規制する。
【００１７】
その後、図６のように、換気ファン取付け治具１のメッシュ体４に換気ファン２０を取付け、当該換気ファン２０を駆動して、マンホール１０内の換気を実施する。
換気ファン取付け治具１に換気ファン２０を取り付けてから、換気ファン取付け治具１をマンホール１０の入口部１０Ａに取り付ける作業を行っても良いが、先に換気ファン取付け治具１をマンホール１０の入口部１０Ａに取り付ける方が、取付け作業を簡易に行うことができる。
【００１８】
ここで、各スライダー３の先端部のかぎ爪部３Ａの形状を図８のようにして、かぎ爪部３Ａの垂直部３Ａｂを、マンホール１０の入口部１０Ａを構成する壁部の内面１０Ａｂに当接させるようにしても良い。図８中、この例では、かぎ爪部３Ａに張出部３Ａｄを設け、該張出部３Ａｄを入口部１０Ａの端面に当接させることで、かぎ爪部３Ａの位置決め、すなわち、換気ファン取付け治具１の位置決めを簡易に行うことができるようなると共に、かぎ爪部３Ａの垂直部３Ａｂを入口部１０Ａの内面１０Ａｂに当接させても、かぎ爪部３Ａが入口部１０Ａから外れにくくなる。
【００１９】
以上のように、本実施形態にあっては、容器・配管等が存在するマンホール１０の入口部１０Ａに対し、換気ファン取付け治具１を引っ掛けることで固定し、その治具に直接換気ファンを取り付ける。更にマンホール１０径が異なってもマンホール１０の入口部１０Ａへ固定できるように、スライダー３が枠体２に対し伸縮可能な構造となっている。
【００２０】
（１）本実施形態は、マンホール１０の入口部１０Ａに換気ファン２０を取り付けるための換気ファン取付け治具１であって、マンホール１０内に遊挿可能な大きさで、且つ、換気ファン２０を取り付け可能な枠体２と、枠体２に支持され、枠体２の外方に向けて進退可能な２以上のスライダー３と、を備え、各スライダー３の先端部を、マンホール１０の入口部１０Ａに当接することで当該マンホール１０の入口に取り付けられる。
この構成によれば、マンホール１０の径に関係無く、またマンホール１０の形状（円形、楕円形、四角形など）に関係無く、一つの換気ファン取付け治具１によって、簡易にマンホール１０に換気ファン２０を取り付けることが可能となる。
【００２１】
（２）本実施形態では、スライダー３の先端部にＬ字状のかぎ爪部３Ａが設けられ、該かぎ爪部３Ａは、マンホール１０の入口部１０Ａを構成する壁部の外面若しくは内面に当接可能となっている。
この構成によれば、スライダー３の先端部をマンホール１０の入口部１０Ａに引っ掛けるだけで、簡易に換気ファン取付け治具１をマンホール１０に取り付けることができる。
【００２２】
（３）枠体２は、無端環状の形状であり、その枠体２の中央部の空間にメッシュ体４が配置され、換気ファン２０は、吸気口又は吐出口をメッシュ体４に向けた状態で枠体２に取付けられる。
この構成によれば、例えば、吸気口をメッシュ体４に向けた場合に、大きな固形物が吸気口から換気ファン２０に吸い込まれることを防止することが可能となり、換気ファン２０の寿命向上や連続運転に繋がる。
【００２３】
（４）枠体２に固定された第１のガイドレール部材と、第１のガイドレール部材の長手方向中央部に、長手方向中央部が連結した第２のガイドレール部材と、を備え、各ガイドレール部材の左右両端部にそれぞれスライダー３が進退可能に支持され、連結は、平面視において、第１のガイドレール部材に対し第２のガイドレール部材が、当該連結位置を中心に回動変位可能となっている。
この構成によれば、第１のガイドレール部材に対し第２のガイドレール部材の角度を変化させることで、マンホール１０の形状に関係無く、また、マンホール１０に対し換気ファン取付け治具１が偏心して配置されても、より確実に換気ファン取付け治具１をマンホール１０の入口に取り付けることが可能となる。
【符号の説明】
【００２４】
１     治具
２     枠体
３     スライダー
３Ａ   かぎ爪部
３ａ   長穴
４     メッシュ体
５     ガイドレール部材
５ａ   底面部
７     ピン
８     ピン
１０   マンホール
１０Ａ 入口部
２０   換気ファン
【図１】
2020190350.tif 000003
【図２】
2020190350.tif 000004
【図３】
2020190350.tif 000005
【図４】
2020190350.tif 000006
【図５】
2020190350.tif 000007
【図６】
2020190350.tif 000008
【図７】
2020190350.tif 000009
【図８】
2020190350.tif 000010